(57)【特許請求の範囲】
【請求項１】
有線放送用交換機に電話機と、有線放送電話用スピーカを接続し、有線放送の音声信号と電話機の呼出信号および音声信号を送信する場合に、上記有線放送の音声信号を重畳する第１の直流電圧と、上記第１の直流電圧より絶対値の小さい直流電圧であって、上記電話機の呼出信号および音声信号を重畳する第２の直流電圧を使用する有線放送電話用スピーカシステムにおいて、上記有線放送電話用スピーカは、上記第１の直流電圧が得られるときＯＮ信号を出力し、上記第２の直流電圧が得られるときＯＦＦ信号を出力する回線電圧検出回路と、上記ＯＮ信号と、ＯＦＦ信号によって上記有線放送電話用スピーカをＯＮ状態とＯＦＦ状態に制御するスイッチ回路を有することを特徴とする有線放送電話用スピーカシステム。
【請求項２】
上記スイッチ回路は、第１のＦＥＴスイッチと第２のＦＥＴスイッチとからなり、上記回線電圧検出回路の出力がフォトカプラを介して上記第１のＦＥＴスイッチのゲートに印加されるとともに、上記第２のＦＥＴスイッチのゲートに直接印加されることを特徴とする請求項１記載の有線放送電話用スピーカシステム。
【請求項３】
上記スイッチ回路は、第１のＦＥＴスイッチと第２のＦＥＴスイッチとからなり、上記回線電圧検出回路の出力がＦＥＴスイッチ制御回路を介して上記第１のＦＥＴスイッチと上記第２のＦＥＴスイッチのゲートに印加されることを特徴とする請求項１記載の有線放送電話用スピーカシステム。
【請求項４】
上記スイッチ回路は、第１のＦＥＴスイッチと第２のＦＥＴスイッチとからなり、上記回線電圧検出回路の出力がフォトカプラを介して上記第１のＦＥＴスイッチと上記第２のＦＥＴスイッチのゲートに印加されることを特徴とする請求項1記載の有線放送電話用スピーカシステム。
【請求項５】
上記第１の直流電圧の一方の極性に上記有線放送の一般音声信号が重畳され、他方の極性に緊急放送信号が重畳される有線放送電話用スピーカシステムにおいて、さらに、上記緊急放送信号を重畳する第１の直流電圧の極性を検出する極性検出回路を有し、上記スイッチ回路は、さらに有線放送の音量調整を行うボリュームが並列接続された第３のＦＥＴスイッチを備え、上記極性検出回路の出力によって上記第3のＦＥＴスイッチを制御することを特徴とする請求項１〜４のいずれかに記載の有線放送電話用スピーカシステム。
【発明の詳細な説明】
【０００１】
【発明の属する技術分野】
本発明は、有線放送電話用交換機に電話回線を介して電話機と有線放送用スピーカを接続する有線放送電話用スピーカシステムに関し、電話機と有線放送を自動的に切り換えるとともに電話の呼出音がスピーカから放送されるレベルを改善するものである。
【０００２】
【従来の技術】
有線放送電話用スピーカシステムにおいて標準電話機の使用を可能にし、かつ呼出音はスピーカより放送されないようにする先行発明として、特公平７−４８７７３がある。この発明は、図６に示すように有線放送用交換機１００からの放送音声を増幅してスピーカ１０１から出力するスピーカ回路１０２と、前記有線放送用交換機１００からの呼出音によって電話機１０３を鳴動させる通話回路１０４とを有する有線放送電話用スピーカシステムであって、前記通話回路中に接続され、前記有線放送用交換機１００からの呼出音は検出し、放送音声は検出することなく吸収する呼び出し検出回路１０５と、前記スピーカ回路中に接続され、前記呼出音検出回路１０５が呼出音を検出したときの信号によって前記スピーカ回路を切断する切断回路１０６で構成される。
【０００３】
従って、有線放送用交換機１００からの呼出音は、交換機入力端子１１１よりフォトカプラ１１２、１１３、コンデンサ１１４、バリスタ１１５を経て、電話機入力端子１１６から電話機１０３に入力され、そして電話機入力端子１１７より交換機入力端子１１８を経て交換機１００に戻る。このようにして、呼出音は電話機１０３を鳴動させるが、呼出音はハイレベル交流信号であるのでフォトカプラ１１２、１１３が作動し、フォトカプラ１１２、１１３に接続されている切断回路１０６により、スピーカ回路１０２を切断状態とし、呼出音がスピーカ１０１から出力されないようにしている。
【０００４】
また、電話機使用中はダイオード１１９によってフォトカプラ１１２が作動して切断回路１０６を作動させるため、通話音声はスピーカから出力されない。
一方、有線放送用電話機１００からの放送音声は上記呼出音と同一ルートで流れようとするが、そのレベルが低いため、バリスタ１１５で吸収されフォトカプラ１１２、１１３が作動しない。このため切断回路１０６が作動せず、交換機１００から放送音声信号は入力端子１１１、増幅器を経てスピーカより出力される。
【０００５】
【発明が解決しようとする課題】
有線放送電話用スピーカシステムにおいて、有線放送電話用スピーカの入力にハイカットフィルタを備え、電話の呼出音信号が入力されないようにしているが、電話の呼出音信号の入力を完全に阻止することができず、一部有線放送電話用スピーカに入力され、スピーカより放送されて、Ｓ／Ｎが約５０ｄＢになる。
本発明は、上記課題に対して有線放送電話用スピーカにスイッチ回路を設け、このスイッチ回路の制御により電話の呼出音がほぼ完全にスピーカより放送されないレベルであるＳ／Ｎが８０ｄＢ程度にまで改善するものである。
【０００６】
【課題を解決するための手段】
本発明の請求項１の有線放送電話用スピーカシステムは、有線放送用交換機に電話機と、有線放送電話用スピーカを接続し、有線放送の音声信号と電話機の呼出信号および音声信号を送信する場合に、上記有線放送の音声信号を重畳する第１の直流電圧と、上記第１の直流電圧より絶対値の小さい直流電圧であって、上記電話機の呼出信号および音声信号を重畳する第２の直流電圧を使用する有線放送電話用スピーカシステムにおいて、上記有線放送電話用スピーカは、上記第１の直流電圧が得られるときＯＮ信号を出力し、上記第２の直流電圧が得られるときＯＦＦ信号を出力する回線電圧検出回路と、上記ＯＮ信号と、ＯＦＦ信号によって上記有線放送電話用スピーカをＯＮ状態とＯＦＦ状態に制御するスイッチ回路を有することを特徴とし、この構成により上記課題を解決する。
【０００７】
また請求項２の発明は、上記スイッチ回路は、第１のＦＥＴスイッチと第２のＦＥＴスイッチとからなり、上記回線電圧検出回路の出力がフォトカプラを介して上記第１のＦＥＴスイッチのゲートに印加されるとともに、上記第２のＦＥＴスイッチのゲートに直接印加されることを特徴とし、この構成により上記課題を解決する。
【０００８】
請求項３の発明は、上記回線電圧検出回路の出力がＦＥＴスイッチ制御回路を介して上記第１のＦＥＴスイッチと第２のＦＥＴスイッチのゲートに印加されることを特徴とし、この構成により上記課題を解決する。
請求項４の発明は、上記回線電圧検出回路の出力がフォトカプラを介して上記第１のＦＥＴスイッチと第２のＦＥＴスイッチのゲートに印加されることを特徴とし、この構成により上記課題を解決する。
請求項５の発明は、上記第１の直流電圧の一方の極性に上記有線放送の一般音声信号が重畳され、他方の極性に緊急放送信号が重畳される有線放送電話用スピーカシステムにおいて、さらに、上記緊急放送信号を重畳する第１の直流電圧の極性を検出する極性検出回路を有し、上記スイッチ回路は、さらに有線放送の音量調整を行うボリュームが並列接続された第３のＦＥＴスイッチを備え、上記極性検出回路の出力によって上記第3のＦＥＴスイッチを制御することを特徴とし、この構成により上記課題を解決する。
【０００９】
請求項１の発明によれば、本発明の請求項１の有線放送電話用スピーカシステムは、有線放送用交換機に電話機と、有線放送電話用スピーカを接続し、有線放送の音声信号と電話機の呼出信号および音声信号を送信する場合に、上記有線放送の音声信号を重畳する第１の直流電圧と、上記第１の直流電圧より絶対値の小さい直流電圧であって、上記電話機の呼出信号および音声信号を重畳する第２の直流電圧を使用する有線放送電話用スピーカシステムにおいて、上記有線放送電話用スピーカは、上記第１の直流電圧が得られるときＯＮ信号を出力し、上記第２の直流電圧が得られるときＯＦＦ信号を出力する回線電圧検出回路と、上記ＯＮ信号と、ＯＦＦ信号によって上記有線放送電話用スピーカをＯＮ状態とＯＦＦ状態に制御するスイッチ回路を有するので、簡単な回路構成で、しかも確実にＦＥＴスイッチを動作させることができる。また電話の呼出音がほぼ完全にスピーカより放送されないレベルであるＳ／Ｎが８０ｄＢ程度にまで改善することができる。
【００１０】
また本発明の請求項２によれば、有線放送電話用スピーカシステムは、第１のＦＥＴスイッチと第２のＦＥＴスイッチとからなるスイッチ回路を備え、このスイッチ回路を電話の呼出音が入力されるときはＯＦＦにして、有線放送電話用スピーカをＯＦＦ状態にすることにより、呼出音信号が入力されないようにしているので、スピーカから呼出音が放送されるレベルは８０ｄＢ程度にまで改善することができる。また本発明の請求項３及び４によれば、スイッチ制御回路及びフォトカプラを回線電圧検出回路の直流電圧を利用して動作させることが可能になり、スイッチ制御回路及びフォトカプラ用整流回路をなくすことができる。さらに請求項５によれば、緊急放送信号を検出したときは、最大音量で有線放送され、聞き逃すことがない。
【００１１】
【発明の実施の形態】
本発明の有線放送電話用スピーカシステムは、有線放送の場合は１００Ｖ直流電圧を使用し、電話機の場合は４８Ｖ直流電圧を使用することにより、有線放送と電話機の切り換えを行う方式である。即ち、図１に示すように、有線放送用交換機１と加入者宅２の有線放送電話用スピーカ端子間は２線式による１回線の電話回線３が敷設され、加入者宅２の有線放送電話端子に標準電話機４と有線放送電話用スピーカ５が接続される。
【００１２】
有線放送用交換機１より送信される各種信号は、図２に示す通りである。図２は端子１２を基準としたときの端子１１の電圧を示し、電話機４の呼出信号は正極性直流電圧（＋４８Ｖ）と負極性直流電圧（−４８Ｖ）にそれぞれ重畳され、１秒ＯＮ、２秒ＯＦＦの１６Ｈｚ信号であり、実効電圧８０Ｖ、ピークツーピーク（＋１６１Ｖ〜−６５Ｖと、＋６５Ｖ〜−１６１Ｖ）である。電話機の音声信号は正極性直流電圧（＋４８Ｖ）に重畳されて送信される。一方、有線による一般放送は正極性１００Ｖ直流電圧に重畳され、ピークツーピーク（７６Ｖ〜１２４Ｖ）で音声信号が送信される。また緊急放送は負極性１００Ｖ直流電圧に重畳され、ピークツーピーク（−７６Ｖ〜−１２４Ｖ）で音声信号が送信される。
【００１３】
（実施形態１）本発明の実施形態１の有線放送電話用スピーカ５の回路は図３に示す通り構成され、以下に詳細を説明する。有線放送電話用スピーカシステムは図１に示すように、加入者宅２の有線放送電話端子１１、１２間に電話機４が接続されるとともに、有線放送電話用スピーカ５が接続される。端子１１は直流カットコンデンサ１５ａ（耐圧１００V、容量３．３μF）、２つのＦＥＴトランジスタ１３ａ、１３ｂを直列接続した第１のＦＥＴスイッチ１３、トランス一次巻線１４、直流カットコンデンサ１５ｂ（耐圧１００V、容量３．３μF）を経て端子１２に接続される。トランス二次巻線１６は２つのＦＥＴトランジスタ１７ａ、１７ｂを直列接続した第２のＦＥＴスイッチ１７、２つのＦＥＴトランジスタ１８ａ、１８ｂを直列接続した第３のＦＥＴスイッチ１８、スピーカ１９を経てトランス二次巻線１６に戻る。スピーカ１９は図１の有線放送電話用スピーカ５と同一のものである。第３のＦＥＴスイッチ１８と並列に有線放送の音量調整するボリューム２０が接続される。
【００１４】
そして、端子１１、１２間にバリスタ２１が接続されるとともに、１６Ｈｚの電話の呼出音信号が有線放送電話用スピーカに入力されるのを阻止するハイカットフィルタ２２が接続される。ハイカットフィルタ２２は２つの抵抗２３、２４（ともに３９ｋΩ）とコンデンサ２５（耐圧１００Ｖ、容量１０μＦ）よりなる。１６Ｈｚに対して低インピーダンスになる上記コンデンサ２５の両端間に回線電圧検出回路２６が接続される。回路２６は２個の２４Ｖツェナーダイオード２７、２８と２９、３０を互いに逆極性に直列接続した４８Ｖ検出部と、４つのダイオード３１〜３４をブリッジ接続した両波整流回路部と、この両波整流回路部の出力側両端間に接続した９Ｖツェナーダイオード３５、抵抗３６（２２ｋΩ）よりなる制御電圧発生部とからなる。この回路２６の出力は第１のＦＥＴスイッチ１３および第２のＦＥＴスイッチ１７の制御電圧として印加される。また端子１１、１２間にＦＥＴスイッチ制御回路３７が接続され、この制御回路３７は４つのダイオード３８〜４１をブリッジ接続した両波整流回路と、９Ｖツェナーダイオード４２、フォトカプラ４３よりなる。フォトカプラ４３の入力側発光ダイオード４４は前記回線電圧検出回路２６の出力によって動作し、フォトカプラ４３の出力側フォトトランジスタ４５の出力は第１のＦＥＴスイッチ１３の制御電圧として２つのＦＥＴトランジスタ１３ａ、１３ｂのゲート回路に印加される。
【００１５】
前記４８Ｖ検出部の出力は、極性検出回路４６を介して一般・緊急制御回路４７に印加され、第３のＦＥＴスイッチ１８を制御する。極性検出回路４６は回線が負電圧のとき高出力をトランジスタ４８に印加するダイオード４９を入力側に有する。トランジスタ４８の出力は一般・緊急制御回路４７のトランジスタ５０の入力に加えられ、その出力は第３のＦＥＴスイッチ１８の制御信号として２つのＦＥＴトランジスタ１８ａ、１８ｂのゲートに印加される。
【００１６】
以上の構成であるから、有線放送交換機１より電話の呼出音が送信されると、電話回線３を経て端子１１，１２を介して電話機４に供給され、ベルを鳴動させ呼出しを行う。このとき有線放送電話用スピーカに入力された呼出音信号がＦＥＴトランジスタ内部の寄生ダイオードを通して出力される恐れがある。しかし、呼出音信号は図２に示すように４８Ｖ直流電圧とともに送信され、ハイカットフィルタ２２で１６Ｈｚ、８０Ｖの呼出音信号の入力は阻止され、４８Ｖ直流成分だけが入力される。そして、２個の２４Ｖツェナーダイオード２７、２８と２９、３０を互いに逆極性に直列接続した４８Ｖ検出部が動作して回線電圧が４８Ｖであること、すなわち呼出音信号であることを検出する。この場合の検出部の出力は両波整流回路部の出力が０Ｖとなり、ツェナーダイオード３５の両端は０Ｖであり、フォトカプラ４３の発光ダイオード４４を動作させることができない。従って、フォトトランジスタ４５はＯＦＦ状態であり、第１のＦＥＴスイッチ１３をＯＦＦ状態にする。またツェナーダイオード３５の両端電圧は第２のＦＥＴスイッチ１７のゲート電極に印加され、第２のＦＥＴスイッチ１７をＯＦＦ状態にする。このようにして第１及び第２のＦＥＴスイッチ１３、１７がＯＦＦ状態となるので、呼出音はスピーカ１９より出力されない。
【００１７】
そして、電話の通話音声は４８Ｖ直流電圧に重畳されて送受信されるので、前記動作が継続し（第１のＦＥＴスイッチ１３と第２のＦＥＴスイッチ１７がともにＯＦＦ状態）、通話音声はスピーカ１９から出力されない。
【００１８】
次に有線放送による一般放送は、正極性１００Ｖ直流電圧に音声信号が重畳されて送信されるので、２個のツェナーダイオード２７、２８と２９、３０を互いに逆極性に直列接続した４８Ｖ検出部は回線電圧が４８Ｖ以上であることを検出する。４８Ｖを越えた電圧成分は両波整流回路で整流され、ツェナーダイオード３５の両端にツェナー電圧（９Ｖ）を得る。この電圧はフォトカプラ４３の発光ダイオード４４を動作させ、フォトトランジスタ４５をＯＮ状態にして第１のＦＥＴスイッチ１３に制御電圧を印加する。このため第１のＦＥＴスイッチ１３はＯＮ状態になる。同時にツェナーダイオード３５の両端電圧は第２のＦＥＴスイッチ１７に制御電圧として印加され第２のＦＥＴスイッチ１７をＯＮ状態にする。ここで極性検出回路４６は回線電圧が正極性であることを検出し、トランジスタ４８はＯＦＦ状態となり、一般・緊急制御回路４７のトランジスタ５０をＯＦＦ状態にし、従って、第３のＦＥＴスイッチ１８をＯＦＦ状態にする。このため音量調整器２０が作用し、好みの音量で一般放送が聴取される。
【００１９】
緊急放送の場合、極性検出回路４６が回線電圧が負極性であることを検出してトランジスタ４８がＯＮになり、このため一般・緊急制御回路４７のトランジスタ５０をＯＮにし、第３のＦＥＴスイッチ１８をＯＮ状態にする。これにより放送信号は第３のＦＥＴスイッチ１８を経由することとなり、音量調整器２０の減衰を受けず、高音量でスピーカより放送される。
【００２０】
（実施形態２）
本発明の実施形態２は、図４に示す通り構成される。この実施例の特徴部分はＦＥＴスイッチ制御回路３７にあり、回線電圧検出回路２６の出力を利用する点にある。即ち、回線電圧検出回路２６の出力電圧がＦＥＴスイッチ制御回路３７を構成するトランジスタ７０に直接供給されて動作させ、トランジスタ７０の出力により第１のＦＥＴスイッチ１３とＦＥＴスイッチ１７を制御する。またトランジスタ７０のベース回路とＦＥＴトランジスタ１３ｂのソース間に逆方向にダイオードを接続している。その他の構成は第１実施例と同じである。
【００２１】
実施形態２において、呼出音が受信されたとき、呼出音信号は電話機のベルを鳴動させて呼出しを行うとともに、ハイカットフィルタ２２で１６Ｈｚ実効電圧８０Ｖの呼出音信号は入力が阻止され、４８Ｖ直流成分だけが回線電圧検出回路２６に入力される。回路２６は４８Ｖ直流成分の場合は、４８Ｖ検出部の出力を０Ｖにし、ＦＥＴスイッチ制御回路３７を構成するトランジスタ７０をＯＦＦ状態にし、第１及び第２のＦＥＴスイッチ１３、１７をＯＦＦ状態にする。この第２実施例の場合、電話の呼出音信号がハイカットフィルタ２２の抵抗２３、ツエナーダイオード２７，２８、ダイオード３１、トランジスタ７０のエミッタ−ベースを通してＦＥＴトランジスタ１３ｂ、トランス一次巻線１４を経て、端子１２に至る回路を形成し、この回路によって呼出音信号が漏れる。この回路によって呼出音信号が漏れるのを防止するためダイオード７１が挿入されている。ダイオード７１がない場合、ＦＥＴトランジスタ１３ｂが動作して呼出音信号が漏れることによってＳ／Ｎが約５０ｄＢであったが、ダイオード７１の挿入によりＳ／Ｎは８０ｄＢ程度に改善された。
【００２２】
第１実施例の場合はホトカプラ４３によって回路２６とＦＥＴトランジスタ１３ｂが分離されており、第２実施例のような心配はない。このように第１のＦＥＴスイッチ１３、第２ＦＥＴスイッチ１７がＯＦＦ状態であるから、呼出音はスピーカ１９より出力されない。また電話の通話音声信号も呼出音信号と同じ直流電圧に重畳されるから上記動作を継続し、従って通話音声はスピーカ１９から出力されない。
【００２３】
次に、有線による一般放送の場合は、回線電圧検出回路２６に出力電圧が得られ、ツェナーダイオード３５の両端にツェナー電圧（９Ｖ）が得られるので、この電圧がトランジスタ７０をＯＮ状態にする。従って第１のＦＥＴスイッチ１３、第２のＦＥＴスイッチ１７がＯＮになる。ここで極性検出回路４６がＯＦＦであるから、一般・緊急制御回路４７はＯＦＦ状態であり、好みの音量で放送が聴取される。
そして、緊急放送の場合は、極性検出回路４６が回線電圧が負極性であることを検出してＯＮ状態になり、一般・緊急制御回路４７をＯＮ状態にし、第３のＦＥＴスイッチ１８をＯＮ状態にする。このため、緊急放送は高音量で放送が行われる。
【００２４】
（実施形態３）
本発明の実施形態３は図５に示す通りＦＥＴスイッチ制御回路３７に特徴がある。この実施例の回路は回線電圧検出回路２６の出力がＦＥＴスイッチ制御回路３７を構成するフォトカプラ８０のフォトダイオード８１に直接供給されて動作させ、フォトトランジスタ８２の出力により第１のＦＥＴスイッチ１３と第２のＦＥＴスイッチ１７を制御する。またフォトダイオード８１とＦＥＴトランジスタ１３ｂのソース間に逆方向ダイオード８３を接続している。その他の構成は第１実施例と同じである。
【００２５】
実施形態３において、呼出音信号受信時は、呼出音信号が電話機のベルを鳴動させて呼出しを行い、一方回線電圧検出回路２６の出力は０Ｖであるから発光ダイオード８１は発光せず、フォトトランジスタ８２をＯＦＦ状態にし、第１のＦＥＴスイッチ１３と、第２ＦＥＴスイッチ１７をＯＦＦ状態にする。実施形態３の場合も実施形態２と同様にダイオード８３が呼出音信号のもれを防止している。このことによりＳ／Ｎは８０ｄＢ程度に改善された。このため呼出音はスピーカ１９より出力されない。また電話の通話音声信号も呼出音信号と同じ直流電圧に重畳されているから上記動作を継続し、通話音声はスピーカ１９から出力されない。
【００２６】
次に、有線による一般放送の場合は、回線電圧検出回路２６に出力電圧が得られ、発光ダイオード８１を発光させる。従ってフォトトランジスタ８２がＯＮ状態になり、第１のＦＥＴスイッチ１３、第２のＦＥＴスイッチ１７がＯＮになる。ここで一般放送は正極性直流電圧に重畳されているので、一般・緊急制御回路４７はＯＦＦ状態であるから、好みの音量で放送が聴取される。
そして、緊急放送の場合は、極性検出回路４６が回線電圧が負であることを検出してＯＮ状態になり、一般・緊急制御回路４７をＯＮ状態にし、第３のＦＥＴスイッチ１８をＯＮ状態にする。このため、緊急放送は高音量で放送が行われる。
【００２７】
【発明の効果】
本発明によれば、電話の呼出音はハイカットフィルタにより有線放送電話用スピーカに入力されないようにするとともに、第１のＦＥＴスイッチと第２のＦＥＴスイッチよりなるスイッチ回路によって有線放送電話用スピーカの回路をＯＦＦ状態にしているので、電話の呼出音がほぼ完全にスピーカより放送されないレベルにまで改善することができる。
【図面の簡単な説明】
【図１】有線放送電話用スピーカシステムの概要を説明する図である。
【図２】有線放送電話用スピーカシステムの信号波形を説明する図である。
【図３】本発明の実施形態１の有線放送電話用スピーカの回路図である。
【図４】本発明の実施形態２の有線放送電話用スピーカの回路図である。
【図５】本発明の実施形態３の有線放送電話用スピーカの回路図である。
【図６】従来の有線放送電話システムの回路図である。
【符号の説明】
１    有線放送交換機
２    加入者宅
３    電話回線
４    電話機
５    有線放送電話用スピーカ
１３    第１のＦＥＴスイッチ
１３ａ  ＦＥＴトランジスタ
１３ｂ  ＦＥＴトランジスタ
１７    第２のＦＥＴスイッチ
１７ａ  ＦＥＴトランジスタ
１７ｂ  ＦＥＴトランジスタ
１８    第３のＦＥＴスイッチ
１８ａ  ＦＥＴトランジスタ
１８ｂ  ＦＥＴトランジスタ
１９    スピーカ
２０    音量調整器
２２    ハイカットフィルタ
２６    回線電圧検出回路
３７    ＦＥＴスイッチ制御回路
４３    フォトカプラ
４６    極性検出回路
４７    一般・緊急制御回路
７０    トランジスタ
８０    フォトカプラ
【図１】
0003638692.tif 000002
【図２】
0003638692.tif 000003
【図３】
0003638692.tif 000004
【図４】
0003638692.tif 000005
【図５】
0003638692.tif 000006
【図６】
0003638692.tif 000007